(57)【要約】【課題】  病院内において仮設ベッドからでもナースコール子機を使用してナースコールができ、看護師は仮設ベッドからの呼び出しであってもナースコールした患者を容易に特定できるナースコールシステムを提供する。【解決手段】  ナースコール子機をコンセント装置に接続し、病室及び廊下に設置され、ナースコール子機の接続／非接続を検知して接続信号／非接続信号をコンセント装置に生成させる一方、制御機にコンセント装置の位置情報を記憶するレイアウト記憶部と、接続信号を発したコンセント装置の位置をレイアウト記憶部から入手し、位置情報を含む子機接続信号を生成してナースコール親機に送信する制御機ＣＰＵと設け、ナースコール親機に、病棟レイアウトＡを表示するディスプレイ２０を設けて、子機接続信号を基に接続されたナースコール子機の位置をベッドマークＤでディスプレイ２０に表示させた。【選択図】  図５
2010125190.tif 000002
【特許請求の範囲】
【請求項１】
ベッド毎に設置され、看護師を呼び出して通話する機能を有するナースコール子機と、ナースステーションに設置されて前記ナースコール子機からの呼び出しに応答する機能を有するナースコール親機と、ベッド配置位置に設置され、前記ナースコール子機を接続して前記ナースコール親機との通信を可能とするコンセント装置と、前記コンセント装置と前記ナースコール親機の間の通信を制御する制御機とを備えたナースコールシステムであって、
前記コンセント装置は、病室及び廊下に設置され、ナースコール子機の接続／非接続を検知して接続信号／非接続信号を発生する接続検知部を備える一方、
前記ナースコール親機或いは前記制御機は、前記コンセント装置の位置情報を記憶するレイアウト記憶部と、前記接続信号／非接続信号を発した前記コンセント装置の位置を前記レイアウト記憶部から把握して位置情報を含む子機接続信号／子機接続解除信号を生成する子機位置把握手段とを備え、
更に前記ナースコール親機は、病院内レイアウトを表示するディスプレイと、前記子機接続信号を受けた前記コンセント装置の位置を前記ディスプレイに表示し、子機接続解除信号を受けた前記コンセント装置の位置を前記ディスプレイに表示しない表示制御手段とを有することを特徴とするナースコールシステム。
【請求項２】
前記表示制御手段は、廊下に設置された前記コンセント装置に対して前記子機接続信号／子機接続解除信号に応じたコンセント装置の表示を実施し、病室に設置したコンセント装置に対して前記子機接続信号／子機接続解除信号を適用しないことを特徴とする請求項１記載のナースコールシステム。
【請求項３】
前記レイアウト記憶部は、コンセント装置に対応して配置されるベッドの位置を病棟のレイアウトと共に記憶し、
前記表示制御手段は、前記ディスプレイ上での前記コンセント装置位置の表示を、対応するベッドの位置を病棟レイアウト上にマークで表示することで行うことを特徴とする請求項１又は２記載のナースコールシステム。
【請求項４】
前記子機位置把握手段は、前記コンセント装置から前記接続信号を受けた後に前記非接続信号を受けたら、断線発生と判断してコンセント装置の位置情報を含む子機断線信号を生成し、
前記ナースコール親機は、前記子機断線信号を受けて警報を発報する報知手段を有すると共に、前記警報の発報を停止させるリセット操作部を有することを特徴とする請求項１乃至３の何れかに記載のナースコールシステム。
【請求項５】
前記表示制御手段は、前記子機断線信号を受けて対応する前記コンセント装置の前記ディスプレイ上の表示を他のコンセント装置の表示と異なる表示に変化させることを特徴とする請求項４記載のナースコールシステム。
【発明の詳細な説明】
【技術分野】
【０００１】
本発明は、病院に設置されるナースコールシステムに関し、特にナースコール親機に病棟のレイアウトを表示するディスプレイを設け、患者からの呼び出しに対して患者の位置を把握し易くしたナースコールシステムに関する。
【背景技術】
【０００２】
従来から、ナースコール親機に病棟内のレイアウトを表示させて、ナースコールがあった場合等に、患者の位置を把握し易くしたナースコールシステムがある。例えば、特許文献１では、ディスプレイに病棟の形を模した病棟外形に加えて病室を表示させ、個々の病室の中にはベッド位置に合わせて患者名等の患者情報を表示させた。このような表示により、看護師はナースコールした患者の場所を一目で確認でき、速やかで適切な対応が可能となった。
【特許文献１】特開２００６−１３００８３号公報
【発明の開示】
【発明が解決しようとする課題】
【０００３】
大災害の発生等で一度に多数の患者が発生した非常時には、病院では病室内のベッドに加えて廊下や空きスペースに仮設ベッドを設置し、できるだけ多くの患者を収容し、手当する必要が生ずる。しかし、従来の病院は、このような非常時に設置される仮設ベッドに対しては、ナースコール子機を割り当てることができなかった。そのため、収容された患者はナースコール子機を使用したナースコールができなかったし、医師や看護師は、どれだけの患者が運びこまれ、また現在入院しているのか把握することが難しかった。更に、患者から呼び出しが成されても、呼出元の患者を容易に認識できない場合があった。
【０００４】
そこで、本発明はこのような問題点に鑑み、病院内において廊下等に設置された仮設ベッドからでもナースコール子機を使用したナースコールができ、看護師は仮設ベッドからの呼び出しであってもナースコールした患者を容易に特定できるナースコールシステムを提供することを目的としている。
【課題を解決するための手段】
【０００５】
上記課題を解決する為に、請求項１の発明は、ベッド毎に設置され、看護師を呼び出して通話する機能を有するナースコール子機と、ナースステーションに設置されてナースコール子機からの呼び出しに応答する機能を有するナースコール親機と、ベッド配置位置に設置され、ナースコール子機を接続してナースコール親機との通信を可能とするコンセント装置と、コンセント装置とナースコール親機の間の通信を制御する制御機とを備えたナースコールシステムであって、コンセント装置は、病室及び廊下に設置され、ナースコール子機の接続／非接続を検知して接続信号／非接続信号を発生する接続検知部を備える一方、ナースコール親機或いは制御機は、コンセント装置の位置情報を記憶するレイアウト記憶部と、接続信号／非接続信号を発したコンセント装置の位置をレイアウト記憶部から把握して位置情報を含む子機接続信号／子機接続解除信号を生成する子機位置把握手段とを備え、更にナースコール親機は、病院内レイアウトを表示するディスプレイと、子機接続信号を受けたコンセント装置の位置をディスプレイに表示し、子機接続解除信号を受けたコンセント装置の位置をディスプレイに表示しない表示制御手段とを有することを特徴とする。
この構成によれば、病室に加えて廊下にも配置したベッドに合わせてナースコール子機を設置でき、更にコンセント装置の位置情報を基にナースコール子機の位置をディスプレイに表示できる。即ち、廊下に居る入院患者であってもその場所をナースコール親機のディスプレイに表示できる。よって、入院患者が廊下にも居るような非常時であっても、入院患者は容易にナースコールできるし、看護師等の病院関係者はディスプレイから患者の位置を把握でき、患者の居場所に関わらずナースコールに対して遅滞のない治療や看護業務を行うことが可能となる。
【０００６】
請求項２の発明は、請求項１に記載の構成において、表示制御手段は、廊下に設置されたコンセント装置に対して子機接続信号／子機接続解除信号に応じたコンセント装置の表示を実施し、病室に設置したコンセント装置に対して子機接続信号／子機接続解除信号を適用しないことを特徴とする。
この構成によれば、廊下に設置されたコンセント装置に関しては、ナースコール子機の接続状況、即ちベッドの設置状況にあわせて表示／非表示がなされる。一方、病室内に関しては、ナースコール子機の接続状況に関わらずディスプレイにコンセント装置の位置を表示させ続けることができる。そのため、廊下にベッドのない平常時の状態では、従来のナースコールシステムと同様の動作及び表示を実施でき、平常時は制御の安定性を確保することができる。
【０００７】
請求項３の発明は、請求項１又は２に記載の構成において、レイアウト記憶部は、コンセント装置に対応して配置されるベッドの位置を病棟のレイアウトと共に記憶し、表示制御手段は、ディスプレイ上でのコンセント装置位置の表示を、対応するベッドの位置を病棟レイアウト上にマークで表示することで行うことを特徴とする。
この構成によれば、実際に配置されるベッドの位置がディスプレイに表示されるので、患者の位置を視覚で認識でき、看護師は対処し易い。
【０００８】
請求項４の発明は、請求項１乃至３の何れかに記載の構成において、子機位置把握手段は、コンセント装置から接続信号を受けた後に非接続信号を受けたら、断線発生と判断してコンセント装置の位置情報を含む子機断線信号を生成し、ナースコール親機は、子機断線信号を受けて警報を発報する報知手段を有すると共に、警報の発報を停止させるリセット操作部を有することを特徴とする。
この構成によれば、コンセント装置からナースコール子機が外れたら、ナースコール親機において断線警報が発報されるので、ナースコール子機の抜けを確実に看護師に通知できる。また、リセット操作することで警報は停止するので、警報を発報する構成であっても仮設ベッドの移動や撤去を無理なく実施できる。
【０００９】
請求項５の発明は、請求項４に記載の構成において、表示制御手段は、子機断線信号を受けて対応するコンセント装置のディスプレイ上の表示を他のコンセント装置の表示と異なる表示に変化させることを特徴とする。
この構成によれば、ディスプレイ上で断線発生場所を認識できるので、場所を容易に特定できスムーズに対処できる。
【発明の効果】
【００１０】
本発明によれば、廊下に居る入院患者であってもその場所をナースコール親機のディスプレイに表示できるので、入院患者が廊下にも居るような非常時であっても、入院患者は容易にナースコールできる。そして、看護師等の病院関係者はディスプレイから患者の位置を把握でき、患者の居場所に関わらずナースコールに対して遅滞のない治療や看護業務を行うことが可能となる。
【発明を実施するための最良の形態】
【００１１】
以下、本発明を具体化した実施の形態を、図面に基づいて詳細に説明する。図１、図２は、本発明に係るナースコールシステムの一例を示す構成図であり、図２は要部を回路ブロックで示している。１は患者が看護師を呼び出すためにベッド毎に設置されたナースコール子機、２はナースコール子機１を接続するために病室Ｂ及び廊下等に多数設置されたコンセント装置、３はナースステーションＮに設置されてナースコール子機１からの呼出に応答するためのナースコール親機、４はナースコール親機３とコンセント装置２との間の通信を制御する制御機である。ナースコール子機１とコンセント装置２は伝送線Ｌ１で接続され、コンセント装置２と制御機４は制御機幹線Ｌ２を介して接続され、ナースコール親機３と制御機４は伝送線Ｌ３を介して接続されている。
【００１２】
ナースコール子機１は、患者がナースステーションＮに在室中の看護師に対して呼び出しを行う（ナースコールする）ナースコールボタン１０、応答した看護師との間で通話するための子機マイク１１及び子機スピーカ１２、コンセント装置２と通信するための子機ＩＦ１３等を備えている。
【００１３】
コンセント装置２は、ナースコール子機１の接続確認を行なうと共に、コンセント装置２全体を制御するコンセントＣＰＵ１５、制御機４と通信するためのコンセント第１ＩＦ１６、ナースコール子機１と通信するためのコンセント第２ＩＦ１７等を備えている。ナースコール子機１をこのコンセント装置２に接続することで、ナーコール子機１は使用可能となる。コンセント装置２はベッドの設置場所に合わせて配置され、ナースコール子機１とは１対１で対応している。
【００１４】
ナースコール親機３は、病棟レイアウトや患者情報を表示するディスプレイ２０、ベッド上の患者からの呼出によって呼出音を出力するための親機スピーカ２１、患者からの呼出に応答し通話を行うための送受話器２２、呼出音や通話を制御する通話回路２３、ナースコール親機３全体を制御する親機ＣＰＵ２４、制御機４と通信するための親機ＩＦ２５等を備えている。
【００１５】
制御機４は、病棟レイアウトや個々のコンセント装置２の位置を記憶したレイアウト記憶部２８、機器間の通信を制御すると共に制御機４を制御する制御機ＣＰＵ２９、ナースコール親機３と通信するための制御機第１ＩＦ３０、コンセント装置２と通信するための制御機第２ＩＦ３１等を備えている。
【００１６】
このように構成されたナースコールシステムにおいて、以下ナースコール子機の接続／非接続に伴う動作を中心に説明する。図３はシステム立ち上げ時のディスプレイ２０の表示を示し、図４は立ち上げた後コンセント装置２と制御機４とが通信を行い、ナースコール子機１の接続状態を合わせて表示した画面を示している。Ａは病棟レイアウトを示し、内部に病室Ｂ１〜Ｂ６、廊下Ｃ１，Ｃ２が配置され、Ｄはナースコール子機１の位置を示すベッドマーク（ナースコール子機１が接続されたコンセント装置２の位置を示すマーク）である。
【００１７】
図３に示すように、ナースコールシステム起動時は、制御機ＣＰＵ２９がレイアウト記憶部２８から病棟レイアウト情報を読み取ってナースコール親機３に送信し、親機ＣＰＵ２４がディスプレイ２０に病棟レイアウトＡを表示する。その後、制御機ＣＰＵ２９はコンセント装置２との通信を開始し、個々のコンセント装置２からナースコール子機１の接続情報を入手し、図４に示すようにベッドマークＤが病棟レイアウト上に表示される。
【００１８】
具体的に、システム起動によりコンセントＣＰＵ１５は、コンセント第２ＩＦ１７の端子抵抗値等からナースコール子機１接続の有無を検出し、接続信号／非接続信号を制御機４に送信する。接続信号／接続信号を受信した制御機ＣＰＵ２９は、レイアウト記憶部２８に記憶されたコンセント装置２の位置情報を検索し、検索した位置情報を加えて子機接続信号／子機接続解除信号をナースコール親機３に送信する。コンセントＣＰＵ１５は、定期的に接続信号／非接続信号を送信している。
【００１９】
ナースコール親機３は、親機ＣＰＵ２４が制御機４からコンセント装置２の位置情報を含む子機接続信号／子機接続解除信号の内、子機接続信号を受信するとディスプレイ２０に表示されている病棟レイアウトＡ上に、コンセント装置２の位置に対応したベッドマークＤを表示する。一方、子機接続解除信号を送信したコンセント装置２に関しては、対応するベッドマークＤを表示しない。こうして図４のレイアウト画像が表示される。
尚、図４は、病室内のコンセント装置２にはナースコール子機１が接続されているが、廊下に設置されたコンセント装置２にはナースコール子機１が接続されていない平常時の状態を示している。
【００２０】
ところが、地震等の大災害が発生した非常時には、ベッドを配置する場所が病室だけでは足りず、廊下等の空きスペースにも仮設ベッドを配置する必要が生ずる。このような場合、病室以外に設置されているコンセント装置２が活用される。本発明のナースコールシステムでは、廊下に設置されたコンセント装置２も、ベッドの配置を想定して設置されている。
【００２１】
そのため、配置された各仮設ベッドに対してナースコール子機１を設けることができる。コンセント装置２にナースコール子機１が接続されると、上述した動作によりナースコール親機３のディスプレイ２０にベッドマークＤが表示される。即ち、ナースコール子機１の接続を感知したコンセント装置２は、コンセントＣＰＵ１５の制御により制御機４に接続信号が送信される。制御機ＣＰＵ２９は、この接続信号を受けてレイアウト記憶部２８から対応するコンセント装置２の位置を読み取り、位置情報を付加した子機接続信号をナースコール親機３に送信する。
この子機接続信号を受けて、親機ＣＰＵ２４はディスプレイ２０に表示されている病棟レイアウトＡ上の該当する場所にベッドマークＤを表示する。こうしてベッドマークＤが表示されたディスプレイ２０の表示を図５に示している。
【００２２】
この状態で、ナースコールが発生した場合、例えば廊下Ｃ１に設置されたナースコール子機１から呼び出しが成された場合、呼出信号がコンセント装置２を介して制御機４に送信される。制御機４は、この呼出信号にコンセント装置２の位置情報を付加した呼出信号を生成し、ナースコール親機３へ送信する。
【００２３】
この呼出信号により、親機ＣＰＵ２４はナースコール親機３に表示されている病棟レイアウトの中のベッドマークＤのうち、対応するベッドマークＤを点滅動作させる。こうしてナースコールされた場所がディスプレイ２０上に表示される。尚、親機ＣＰＵ２４は、同時に親機スピーカ２１から呼出音を報音させる。
図６は、この時のディスプレイ２０の表示を示し、ハッチングを付したベッドマークＤ１が点滅動作して対応しているナースコール子機１が呼出操作されたことを示している。この表示により、看護師は一目で呼出元を認識できる。
【００２４】
このように、病室に加えて廊下にも配置したベッドに合わせてナースコール子機を設置でき、更にコンセント装置の位置情報を基にナースコール子機の位置をディスプレイに表示できる。即ち、廊下に居る入院患者であってもその場所をナースコール親機のディスプレイに表示できる。よって、入院患者が廊下にも居るような非常時であっても、入院患者は容易にナースコールできるし、看護師等の病院関係者はディスプレイから患者の位置を把握でき、患者の居場所に関わらずナースコールに対して遅滞のない治療や看護業務を行うことが可能となる。
また、ナースコール子機の位置が、実際に配置されるベッドの位置としてディスプレイに表示されるので、患者の位置を視覚で認識でき、看護師は対処し易い。
【００２５】
次に、上記の如く接続されたナースコール子機１において、コンセント装置２への接続が外れたり、ナースコール子機１の伝送線Ｌ１等に断線が発生した場合の動作を説明する。コンセント装置２に接続されたナースコール子機１に抜け等の断線が発生したら、コンセントＣＰＵ１５はそれを検知し、非接続信号を制御機４に送信する。接続信号を受けた後に非接続信号を受けた制御機ＣＰＵ２９は、この非接続信号を受けてレイアウト記憶部２８から対応するコンセント装置２の位置を読み取り、位置情報を付加した子機断線信号をナースコール親機３に送信する。
【００２６】
子機断線信号を受けた親機ＣＰＵ２４は、ディスプレイ２０の該当する位置に表示されているベッドマークＤをナースコール表示とは異なる状態で点滅動作させる。合わせて親機スピーカ２１から警報音を報音させて断線警報を報音させる。図７は、廊下Ｃ２に設置されたナースコール子機１が外れ、対応するベッドマークＤ２が点滅してそれを報知している状態を示している。この表示の変化により、ディスプレイ上で断線発生場所を認識でき、看護師は場所を容易に特定できスムーズに対処できる。
【００２７】
尚、この子機断線信号は、接続信号の送信を受けた同一のコンセント装置２から引き続き非接続信号が送信された場合に、制御機ＣＰＵ２９が断線発生と判断して生成するもので、ナースコールシステムを立ち上げた状態では、制御機ＣＰＵ２９は非接続信号を受けて子機接続解除信号を生成するだけで、子機断線信号は生成しない。
【００２８】
そして、この断線警報が継続している時に、ナースコール親機３に設けられているリセットボタンが操作されると、警報動作はリセットされる。具体的に、親機ＣＰＵ２４はディスプレイ２０上のベッドマークＤを点滅させて断線表示を行うのに合わせて、リセットボタン（図示せず）を表示する。このリセットボタンをタッチ操作（ディスプレイ２０にはタッチパネルが組み付けられ、各種操作を行う操作部となっている）することで、親機ＣＰＵ２４からリセット信号が発せられ、警報動作はリセットされて停止する。
また、リセット信号は制御機４に送信され、リセット信号を受けた制御機ＣＰＵ２９は、子機断線信号の送信を停止して初期設定に戻り、ディスプレイ２０の該当する位置のベッドマークＤを消去する。但し、リセットボタンを押さない場合は表示は継続する。
尚、病室内の断線警報については、リセットボタンを表示しないようにすると良く、誤って表示が消える事態を防ぐとができ好適である。
【００２９】
このように、コンセント装置からナースコール子機が外れたら、ナースコール親機において断線警報が発報されるので、ナースコール子機の抜けを確実に看護師に通知でき、断線して患者からのナースコールがナースコール親機に届かないような事態を防ぐことができる。また、リセット操作することで警報は停止するので、警報を発報する構成であっても仮設ベッドの移動や撤去を無理なく実施できる。
そして、最初から接続されていないコンセント装置に対してはナースコール子機が断線したと判断されることがないので、誤報が発生することもない。
【００３０】
尚、上記実施形態では、制御機が全てのコンセント装置２に対して同一の制御を実施しているが、病室に設置されたコンセント装置２に対してのみ、子機断線信号を生成してナースコール親機３で警報を発報するよう構成しても良い。このような構成にすれば、廊下に設置されたコンセント装置２に関しては、ナースコール子機１の接続状況、即ちベッドの設置状況にあわせて表示／非表示がなされるだけで、ナースコール子機１を外しても警報が発報される事が無いため、仮設ベッドの移動や撤去がし易い。一方、病室内に関してはナースコール子機１が外れる等の断線が発生したら警報発報するので、看護師は確実に認識できる。
また、ディスプレイ２０上でのベッドマークＤの表示を廊下と病室とで異なる表示形態としてもよい。具体的に、廊下に設置されたデッドマークＤに関しては、ナースコール子機１が接続された時のみ表示し、病室内のベッドマークＤに関しては、ナースコール子機１の接続／非接続に関わらず常時表示させるよう親機ＣＰＵ２４に制御させても良い。このように表示させることで、廊下にベッドのない平常時の状態では、従来のナースコールシステムと同様のディスプレイ表示を実施でき、平常時は制御の安定性を確保することができる。
【００３１】
更に、上記実施形態では、ディスプレイ２０に病棟レイアウトＡを表示しているが、病院全体のレイアウトを表示させても良いし、レイアウト記憶部２８を制御機４に設けているがナースコール親機３に設けても良い。更に、制御機ＣＰＵ２９がコンセント装置２の位置を把握しているが親機ＣＰＵ２４が把握制御しても良い。
また、コンセント装置２からナースコール子機接続情報を制御機４に送信しているが、接続したナースコール子機１から生成して送信しても良いし、制御機４から各コンセント装置２或いは各インターホン子機１に対してピング処理により確認しても良い。
【図面の簡単な説明】
【００３２】
【図１】本発明に係るナースコールシステムの一例を示す構成図である。
【図２】図１の各機器の要部を回路ブロックで示した構成図である。
【図３】ナースコール親機ディスプレイの表示画面図であり、システム立ち上げ時の画面を示している。
【図４】ナースコール親機ディスプレイの表示画面図であり、平常時の画面を示している。
【図５】ナースコール親機ディスプレイの表示画面図であり、仮設ベッドを設置した非常時の画面を示している。
【図６】図５の状態において、ナースコール子機から呼び出しがあった場合の表示状態を示している。
【図７】図５の状態において、ナースコール子機が断線した場合の表示状態を示している。
【符号の説明】
【００３３】
１・・ナースコール子機、２・・コンセント装置、３・・ナースコール親機、４・・制御機、１５・・コンセントＣＰＵ（接続検知部）、２０・・ディスプレイ、２１・・親機スピーカ（報知手段）、２４・・親機ＣＰＵ（表示制御手段）、２８・・レイアウト記憶部、２９・・制御機ＣＰＵ（子機位置把握手段）、Ｄ・・ベッドマーク。
【図１】
2010125190.tif 000003
【図２】
2010125190.tif 000004
【図３】
2010125190.tif 000005
【図４】
2010125190.tif 000006
【図５】
2010125190.tif 000007
【図６】
2010125190.tif 000008
【図７】
2010125190.tif 000009